(57)【要約】      （修正有）【課題】肩部分への密着性を高め、遠赤外線放射、マイナスイオン発生、磁力線放射による肩こり解消効果を有効に利用できるようにした肩掛けを提供する。【解決手段】軽く薄い材質の布を縫合した略馬蹄形のカバーの内に、植物炭素繊維内蔵部分またはトルマリン内蔵部分２または磁石内蔵部分またはセラミックス内蔵部分を包み込み、カバーの両端に対向するマジックテープ（登録商標）３，４を取付け、植物炭素繊維内蔵部分またはトルマリン内蔵部分または磁石内蔵部分またはセラミックス内蔵部分を、下着の上で、ずれることなく肩に密着できるようにした。【選択図】図１
0003105484.tif 000002
【実用新案登録請求の範囲】
【請求項１】
植物炭素繊維内蔵部とそれを包み込む略馬蹄形のカバーと、カバーの両端に取付けた対向するマジックテープよりなり、遠赤外線を放射しマイナスイオンを発生する植物炭素繊維内蔵部を、ずれることなく肩に密着させ装着できるようにした、肩こり解消用肩掛け。
【請求項２】
トルマリン内蔵部とそれを包み込む略馬蹄形のカバーと、カバーの両端に取付けた対向するマジックテープよりなり、遠赤外線を放射しマイナスイオンを発生するトルマリン内蔵部を、ずれることなく肩に密着させ装着できるようにした、肩こり解消用肩掛け。
【請求項３】
磁石内蔵部とそれを包み込む略馬蹄形のカバーと、カバーの両端に取付けた対向するマジックテープよりなり、磁力線を放射する磁石内蔵部を、ずれることなく肩に密着させ装着できるようにした、肩こり解消用肩掛け。
【請求項４】
セラミックス内蔵部とそれを包み込む略馬蹄形のカバーと、カバーの両端に取付けた対向するマジックテープよりなり、遠赤外線を放射するセラミックス内蔵部を、ずれることなく肩に密着させ装着できるようにした、肩こり解消用肩掛け。
【考案の詳細な説明】
【技術分野】
【０００１】本考案は、植物炭素繊維またはトルマリンまたは磁石またはセラミックスを、肩に密着させ装着できるようにし，肩こりを解消するための肩掛けに関する。
【背景技術】
【０００２】従来、実用新案公開平６−２６９００請求項６項等に示される技術があった。
【考案の開示】
【考案が解決しようとする課題】
【０００３】従来技術では、止める位置が限定され最適な装着位置がとれず、また使用時にずれるため、肩部分への密着性に劣り、遠赤外線放射、マイナスイオン発生、磁力線放射による肩こり解消効果が不十分である。
【課題を解決するための手段】
【０００４】軽く薄い材質の布を縫合した、略馬蹄形のカバーの内に植物炭素繊維内蔵部を包み込み、カバーの両端に対向するマジックテープを取付け、植物炭素繊維内蔵部をずれることなく肩に密着できるようにした肩こり解消用肩掛け。【０００５】軽く薄い材質の布を縫合した、略馬蹄形のカバーの内にトルマリン内蔵部を包み込み、カバーの両端に対向するマジックテープを取付け、トルマリン内蔵部をずれることなく肩に密着できるようにした肩こり解消用肩掛け。【０００６】軽く薄い材質の布を縫合した、略馬蹄形のカバーの内に磁石内蔵部を包み込み、カバーの両端に対向するマジックテープを取付け、磁石内蔵部をずれることなく肩に密着できるようにした肩こり解消用肩掛け。【０００７】軽く薄い材質の布を縫合した、略馬蹄形のカバーの内にセラミックス内蔵部を包み込み、カバーの両端に対向するマジックテープを取付け、セラミックス内蔵部をずれることなく肩に密着できるようにした肩こり解消用肩掛け。
【考案の成果】
【０００８】軽く薄い材質の布のため下着の上でも着用可能であり、またマジックテープにより、植物炭素繊維またはトルマリンまたは磁石またはセラミックスを、ずれることなく肩の適切な位置に密着させ装着でき、遠赤外線放射、マイナスイオン発生または磁力線放射の効果を有効に受けられるため、肩こり、肩痛解消効果に優れている。
【考案を実施するための最良の形態】
【０００９】下着の上でも着用可能な綿やポリエステル等の軽く薄い材質の布を縫合し、首回りに適切に沿わせることができる略馬蹄形のカバー２ａの間に、遠赤外線を放射及びマイナスイオンを発生する植物炭素繊維内蔵部２ｂやトルマリン内蔵部２ｃ、あるいは磁力線を放射する磁石内蔵部２ｄ、あるいは遠赤外線を放射するセラミックス内蔵部２ｅをはさみ込み固定させ、布の両端の対向する表面用マジックテープ３、裏面用マジックテープ４により位置を調節し、下着の上で肩の適切な位置に密着させ、ずれることなく装着できる肩こり解消用肩掛け１。
【図面の簡単な説明】
【００１０】
【図１】植物炭素繊維またはトルマリンまたは磁石またはセラミックスを内蔵した肩こり解消用肩掛けを示した正面図である。
【図２】植物炭素繊維内蔵の肩こり解消用肩掛けの概要断面図である。
【図３】トルマリン内蔵の肩こり解消用肩掛けの概要断面図である。
【図４】磁石内蔵の肩こり解消用肩掛けの概要断面図である。
【図５】セラミックス内蔵の肩こり解消用肩掛けの概要断面図である。
【符号の説明】
【００１１】１肩こり解消用肩掛け
２植物炭素繊維またはトルマリンまたは磁石またはセラミックス内蔵部分
２ａ綿やポリエステル等の軽く薄い材質のカバー
２ｂ植物炭素繊維内蔵部
２ｃトルマリン内蔵部
２ｄ磁石内蔵部
２ｅセラミックス内蔵部
３表面用マジックテープ
４裏面用マジックテープ
５ａ切断面端部
５ｂ切断面端部
【図１】
0003105484.tif 000003
【図２】
0003105484.tif 000004
【図３】
0003105484.tif 000005
【図４】
0003105484.tif 000006
【図５】
0003105484.tif 000007
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
植物炭素繊維内蔵部とそれを包み込む略馬蹄形のカバーと、カバーに取付けた対向する面ファスナーよりなり、遠赤外線を放射しマイナスイオンを発生する植物炭素繊維内蔵部を、ずれることなく肩に密着させて装着できるようにした、肩こり解消用肩掛け。
【請求項２】
トルマリン内蔵部とそれを包み込む略馬蹄形のカバーと、カバーに取付けた対向する面ファスナーよりなり、遠赤外線を放射しマイナスイオンを発生するトルマリン内蔵部を、ずれることなく肩に密着させて装着できるようにした、肩こり解消用肩掛け。
【請求項３】
磁石内蔵部とそれを包み込む略馬蹄形のカバーと、カバーに取付けた対向する面ファスナーよりなり、磁力線を放射する磁石内蔵部を、ずれることなく肩に密着させて装着できるようにした、肩こり解消用肩掛け。
【請求項４】
セラミックス内蔵部とそれを包み込む略馬蹄形のカバーと、カバーに取付けた対向する面ファスナーよりなり、遠赤外線を放射するセラミックス内蔵部を、ずれることなく肩に密着させ装着できるようにした、肩こり解消用肩掛け。
【手続補正２】
【補正対象書類名】明細書
【補正対象項目名】全文
【補正方法】変更
【補正の内容】
【考案の詳細な説明】
【技術分野】
【０００１】本考案は、植物炭素繊維またはトルマリンまたは磁石またはセラミックスを、肩に密着させて装着できるようにした、肩こり解消用肩掛けに関する。
【背景技術】
【０００２】従来、実用新案公開平６−２６９００の請求項６項等に示される技術があった。
【考案の開示】
【考案が解決しようとする課題】
【０００３】従来技術では、止める位置が限定され最適な装着位置がとれず、また使用時にずれるため、肩部分への密着性に劣り、遠赤外線放射、マイナスイオン発生、磁力線放射による肩こり解消効果が不十分である。
【課題を解決するための手段】
【０００４】軽く薄い材質の布を縫合した、略馬蹄形のカバーの内に植物炭素繊維内蔵部を包み込み、カバーの両端に対向する面ファスナーを取付け、植物炭素繊維内蔵部をずれることなく肩に密着させて装着できるようにした、肩こり解消用肩掛け。【０００５】軽く薄い材質の布を縫合した、略馬蹄形のカバーの内にトルマリン内蔵部を包み込み、カバーの両端に対向する面ファスナーを取付け、トルマリン内蔵部をずれることなく肩に密着させて装着できるようにした、肩こり解消用肩掛け。【０００６】軽く薄い材質の布を縫合した、略馬蹄形のカバーの内に磁石内蔵部を包み込み、カバーの両端に対向する面ファスナーを取付け、磁石内蔵部をずれることなく肩に密着させて装着できるようにした、肩こり解消用肩掛け。【０００７】軽く薄い材質の布を縫合した、略馬蹄形のカバーの内にセラミックス内蔵部を包み込み、カバーの両端に対向する面ファスナーを取付け、セラミックス内蔵部をずれることなく肩に密着させて装着できるようにした、肩こり解消用肩掛け。
【考案の成果】
【０００８】軽く薄い材質の布のカバーのため、下着の上でも着用可能であり、また面ファスナーにより植物炭素繊維またはトルマリンまたは磁石またはセラミックスを、ずれることなく肩の適切な位置に密着させて装着でき、遠赤外線放射、マイナスイオン発生または磁力線放射の効果を有効に受けられるため、肩こり解消効果に優れている。
【考案を実施するための最良の形態】
【０００９】下着の上でも着用可能な綿やポリエステル等の軽く薄い材質の布の表カバー４と裏カバー５を縫合し、首回りに適切に沿わせることができる略馬蹄形のカバーとし、表カバー４と裏カバー５の間に遠赤外線を放射及びマイナスイオンを発生する植物炭素繊維内蔵部１１ａをはさみ込み固定させ、布の両端の対向する表カバー用面ファスナー２、裏カバー用面ファスナー３により位置を調節し、下着の上で肩の適切な位置に密着させ、ずれることなく装着できる肩こり解消用肩掛け１１。【００１０】下着の上でも着用可能な綿やポリエステル等の軽く薄い材質の布の表カバー４と裏カバー５を縫合し、首回りに適切に沿わせることができる略馬蹄形のカバーとし、表カバー４と裏カバー５の間に遠赤外線を放射及びマイナスイオンを発生するトルマリン内蔵部１２ａをはさみ込み固定させ、布の両端の対向する表カバー用面ファスナー２、裏カバー用面ファスナー３により位置を調節し、下着の上で肩の適切な位置に密着させ、ずれることなく装着できる肩こり解消用肩掛け１２。【００１１】下着の上でも着用可能な綿やポリエステル等の軽く薄い材質の布の表カバー４と裏カバー５を縫合し、首回りに適切に沿わせることができる略馬蹄形のカバーとし、表カバー４と裏カバー５の間に磁力線を放射する磁石内蔵部１３ａをはさみ込み固定させ、布の両端の対向する表カバー用面ファスナー２、裏カバー用面ファスナー３により位置を調節し、下着の上で肩の適切な位置に密着させ、ずれることなく装着できる肩こり解消用肩掛け１３。【００１２】下着の上でも着用可能な綿やポリエステル等の軽く薄い材質の布の表カバー４と、裏カバー５を縫合し、首回りに適切に沿わせることができる略馬蹄形のカバーとし、表カバー４と裏カバー５の間に遠赤外線を放射するセラミックス内蔵部１４ａをはさみ込み固定させ、布の両端の対向する表カバー用面ファスナー２、裏カバー用面ファスナー３により位置を調節し、下着の上で肩の適切な位置に密着させ、ずれることなく装着できる肩こり解消用肩掛け１４。
【図面の簡単な説明】
【００１３】
【図１】人体に装着した状態の肩こり解消用肩掛け正面図。
【図２】植物炭素繊維内蔵の肩こり解消用肩掛けの構造を示す正面図。
【図３】トルマリン内蔵の肩こり解消用肩掛けの構造を示す正面図。
【図４】磁石内蔵の肩こり解消用肩掛けの構造を示す正面図。
【図５】セラミックス内蔵の肩こり解消用肩掛けの構造を示す正面図。
【符号の説明】
【００１４】１肩こり解消用肩掛け
２表カバー用面ファスナー
３裏カバー用面ファスナー
４綿やポリエステル等の軽く薄い材質の布の表カバー
５綿やポリエステル等の軽く薄い材質の布の裏カバー
１１植物炭素繊維内蔵肩こり解消用肩掛け
１１ａ植物炭素繊維内蔵部
１２トルマリン内蔵肩こり解消用肩掛け
１２ａトルマリン内蔵部
１３磁石内蔵肩こり解消用肩掛け
１３ａ磁石内蔵部
１４セラミックス内蔵肩こり解消用肩掛け
１４ａセラミックス内蔵部
【手続補正３】
【補正対象書類名】図面
【補正対象項目名】全図
【補正方法】変更
【補正の内容】
【図１】
0003105484.tif 000008
【図２】
0003105484.tif 000009
【図３】
0003105484.tif 000010
【図４】
0003105484.tif 000011
【図５】
0003105484.tif 000012